(57)【特許請求の範囲】
【請求項１】
システムであって
ガイドカテーテルに固定されるように構成され、少なくとも部分的に外側鞘部によって取り囲まれる内側部材を含むカテーテル組立部の一部を受け入れるように構成される内腔を定義するアダプターと、
カテーテル組立部がアダプターの内腔に配置される場合、カテーテル組立部の外側鞘部とアダプターとの間に配置されるように構成されるスリーブとを含み、
スリーブが、嵌め込み型のスリーブであり、
スリーブが、第１の管、第２の管、及び第３の管を有し、
第１の管が第２の管の中で摺動可能であり、第２の管が第３の管の中で摺動可能であるシステム。
【請求項２】
スリーブが、少なくとも６３ＭＰａの引っ張り強度を有する１または複数の材料で形成され、スリーブが少なくとも０．００２インチ（０．０５１ミリメートル）の壁厚を有する請求項１に記載のシステム。
【請求項３】
スリーブの遠位部がカテーテル組立部の外側鞘部とアダプターとの間に配置されるように構成され、スリーブの近位部がアダプターの近傍で位置決定されるように構成される請求項１に記載のシステム。
【請求項４】
スリーブの近位部が第１の外径を有し、スリーブの遠位部が第２の外径を有し、第１の外径は第２の外径よりも大きい請求項３に記載のシステム。
【請求項５】
スリーブが、アダプターから、カテーテル組立部の内側部材が固定される取っ手の遠位末端まで伸びるように構成される請求項１に記載のシステム。
【請求項６】
スリーブが、アダプターとカテーテル組立部の外側鞘部との間に配置される場合、アダプターがスリーブの周りで締め付けることができる弁を含む請求項１に記載のシステム。
【請求項７】
スリーブの周りで弁が締め付けられるとき、スリーブとカテーテル組立部の外側鞘部との間の摩擦レベルが一定のままであるようにスリーブが構成される請求項６に記載のシステム。
【請求項８】
スリーブが、少なくとも６３ＭＰａの引っ張り強度を有する１または複数の材料を含む請求項１に記載のシステム。
【請求項９】
スリーブが１または複数の金属を含む請求項１に記載のシステム。
【請求項１０】
スリーブが内側層と外側層を含み、内側層は０．２５以下の摩擦係数を有する請求項１に記載のシステム。
【請求項１１】
内側層がシリコーンを含む請求項１０に記載のシステム。
【請求項１２】
スリーブが内径を有し、カテーテル組立部の外側鞘部が外径を有し、スリーブの内径が、カテーテル組立部の外側鞘部の外径よりも大きく、その大きさが０．００３インチ（０．０７６ミリメートル）以下である、請求項１に記載のシステム。
【請求項１３】
アダプターに固定されたガイドカテーテルをさらに含む請求項１に記載のシステム。
【請求項１４】
弁が弾力性のあるＯ−リングを含む請求項６に記載のシステム。
【請求項１５】
弁が、トゥヒー・ボースト（Ｔｏｕｈｙ−Ｂｏｒｓｔ）弁である請求項６に記載のシステム。
【発明の詳細な説明】
【技術分野】
【０００１】
本発明は、医療システム並びに関連する構成部品および方法に関する。
（関連出願の参照）
本出願は、２００７年２月５日に出願された米国特許仮出願、出願番号６０／８８８，
２２４号の恩典を請求する。上記仮出願はその全体を参照によって組み入れる。
【背景技術】
【０００２】
たとえば、ステントのような埋め込み可能な内部人工器官を体腔に送達する装置が知ら
れている。この種の装置は使用中、体腔の外に残存する近位部と体腔に挿入される（たと
えば、切開を介して）遠位部を含むことが多い。近位部は通常、使用中装置を操作するた
めに提供される。遠位部は、その間に配置される内部人工器官を有する内側部材に関して
摺動可能に位置する外側鞘部を含むことが多い。
【発明の概要】
【発明が解決しようとする課題】
【０００３】
一般に、装置の遠位部は、体腔を介して治療部位（たとえば、狭窄又は動脈瘤）に進ま
せる。次いで外側鞘部を引っ込め、治療部位で内部人工器官が拡張し、体腔の壁に係合す
るのを可能にする。その後、体腔に係合された内部人工器官を残して、装置が取り出され
る。
【課題を解決するための手段】
【０００４】
本発明の１つの態様では、システムは、少なくとも部分的に外側鞘部によって取り囲ま
れる内側部材を有するカテーテル組立部の一部を受け取るように構成された内腔を定義す
るアダプターを含む。システムはまた、カテーテル組立部がアダプターの内腔に配置され
る場合、カテーテル組立部の外側鞘部とアダプターとの間に配置されるように構成される
スリーブも含む。
【０００５】
本発明の別の態様では、システムは内腔を定義する弁を含む。弁は、内腔が第１の直径
を有する第１の位置及び内腔が第１の直径より小さな第２の直径を有する第２の位置に設
置されるように構成される。システムはさらに、弁の内腔の中に配置されるように構成さ
れたスリーブを含む。スリーブは、内側管状部材と少なくとも部分的に内側管状部材を取
り囲む外側管状部材を有するカテーテル組立部がスリーブを介して伸びることができるよ
うに構成される。カテーテル組立部がスリーブを介して伸び、スリーブが弁の内腔に配置
される場合、スリーブは、スリーブと外側管状部材の間の摩擦のレベルが第１の位置と第
２の位置において実質的に一定であるように構成される。
【０００６】
本発明のさらなる態様では、システムは、弁と、内腔を定義し、液体の実質的な密封を
弁とスリーブとの間で創ることができるように弁の中に配置されるように構成されたスリ
ーブを含む。スリーブは、内側管状部材と少なくとも部分的に内側管状部材を取り囲む外
側管状部材を有するカテーテル組立部がスリーブの内腔の中に配置されうるように構成さ
れる。スリーブは、内側層と外側層を含み、内側層は、約０．２５以下の摩擦計係数を有
する。
【０００７】
本発明の追加の態様では、方法は、弁とカテーテル組立部の外側鞘部との間にスリーブ
を配置することを含む。カテーテル組立部は、外側鞘部の内腔の中で伸びる内側部材を含
む。方法はまた、スリーブの周りで弁を押し付けること及び弁に関してカテーテル組立部
の外側鞘部を引っ込めることも含む。
【０００８】
実施形態は、１または複数の以下の特徴を含むことができる。
一部の実施形態では、スリーブは実質的に放射状に非圧縮性である。
一部の実施形態では、スリーブは、少なくとも約６３ＭＰａの引っ張り強度を有する１
または複数の材料で形成され、スリーブは少なくとも約０．００２インチの壁厚さを有す
る。
【０００９】
一部の実施形態では、スリーブの遠位部は、カテーテル組立部の外側鞘部とアダプター
の間に配置されるように構成され、スリーブの近位部はアダプターの近傍に位置付けられ
るように構成される。
【００１０】
一部の実施形態では、スリーブの近位部は第１の外径を有し、スリーブの遠位部は第２
の外径を有する。第１の外径は第２の外径よりも大きい。
一部の実施形態では、スリーブの近位末端領域は、カテーテル組立部の内側部材が固定
される取っ手に固定される。
【００１１】
一部の実施形態では、スリーブは、アダプターから、カテーテル組立部の内側部材が固
定される取っ手の遠位末端まで伸びるように構成される。
一部の実施形態では、スリーブは嵌め込み型のスリーブである。
【００１２】
一部の実施形態では、嵌め込み型のスリーブの近位末端領域は、カテーテル組立部の内
側部材が固定される取っ手に固定される。
一部の実施形態では、スリーブがアダプターとカテーテル組立部の外側鞘部のと間に配
置される場合、アダプターはスリーブのまわりで締め付けることができる弁を含む。
【００１３】
一部の実施形態では、スリーブは、弁がスリーブのまわりで締め付けられるとき、スリ
ーブとカテーテル組立部の外側鞘部との間の摩擦のレベルが実質的に一定のままであるよ
うに構成される。
【００１４】
一部の実施形態では、スリーブは１または複数の硬い材料を含む。
一部の実施形態では、スリーブは少なくとも約６３ＭＰａの引っ張り強度を有する１ま
たは複数の材料を含む。
【００１５】
一部の実施形態では、スリーブは１または複数の金属又は合金（たとえば、ステンレス
鋼）を含む。
一部の実施形態では、スリーブは内側層と外側層を含む。
【００１６】
一部の実施形態では、外側層は、少なくとも約６３ＭＰａの引っ張り強度を有する１ま
たは複数の材料で形成される。
一部の実施形態では、内側層は潤滑性の１または複数の材料（たとえば、シリコーン、
ＰＴＦＥ、親水性コーティングなど）を含む。
【００１７】
一部の実施形態では、内側層は約０．２５以下の摩擦係数を有する。
一部の実施形態では、スリーブは内径を有し、カテーテル組立部の外側鞘部は外径を有
する。スリーブの内径は、カテーテル組立部の外側鞘部の外径よりも約０．００３インチ
以下で大きい（たとえば、約０．０００５インチ〜約０．００３インチ）。
【００１８】
一部の実施形態では、システムはさらに、アダプターの遠位末端領域に固定されるガイ
ドカテーテルを含む。
一部の実施形態では、弁は弾力性のあるＯ−リングを含む。
【００１９】
一部の実施形態では、弁はトゥヒー・ボースト（Ｔｏｕｈｙ−Ｂｏｒｓｔ）弁である。
一部の実施形態では、システムはさらに導入鞘具を含み、弁は導入鞘具の中に配置され
る。
【００２０】
一部の実施形態では、弁は導入鞘具の中に配置される膜であり、該膜はそれを介してカ
テーテル組立部を挿入することができる、交差するスリットを有する。
一部の実施形態では、スリーブは、導入鞘具からカテーテル組立部の内側部材が固定さ
れる取っ手の遠位末端まで伸びるように構成される。
【００２１】
一部の実施形態では、弁はガイドカテーテルに固定されるように適合させたアダプター
の中に配置される。
一部の実施形態では、弁は導入鞘具の中に配置される。
【００２２】
一部の実施形態では、方法はさらに、内側部材に関して外側鞘部を引っ込めることを含
む。
一部の実施形態では、内側部材と外側鞘部は、その間に埋め込み可能な医療用内部人工
器官を配置することができるように構成される。
【００２３】
一部の実施形態では、弁の押し付け部分が中央内腔を定義し、弁は、中央内腔が第１の
直径を有する第１の非押し付け部分と中央内腔が第２の直径を有する第２の押し付け部分
に設置されるように構成される。第２の直径は第１の直径よりも小さい。
【００２４】
一部の実施形態では、内側部材に関して外側鞘部を引っ込めたとき、当初外側鞘部と内
側部材の間に配置された埋め込み可能な医療用内部人工器官が拡張する。
一部の実施形態では、方法はさらに、弁を含むアダプターをガイドカテーテルに固定す
ることを含む。
【００２５】
実施形態は、１または複数の以下の利点を有する。
特定の実施形態では、スリーブは、内側潤滑性層を含む。スリーブの内側潤滑性層は使
用中、スリーブとカテーテル組立部の外側鞘部との間の摩擦のレベルを低減することがで
きる。ある場合には、スリーブとカテーテル組立部の外側鞘部との間の摩擦の低減したレ
ベルによって、患者の体腔の中に埋め込み可能な医療用内部人工器官（たとえば、自己拡
張型ステント）を配置する精度を改善することができる。
【００２６】
一部の実施形態では、スリーブは実質的に放射状に非圧縮性である。これによって使用
中、スリーブとカテーテル組立部の外側鞘部との間の摩擦の実質的な増大を防ぐことがで
きる。たとえば、この配置は、システムの使用者によって弁（たとえば、アダプターの弁
）が過度に締め付けられること（たとえば、過度に圧迫されること）によって、スリーブ
とカテーテル組立部の外側鞘部との間の摩擦の実質的な増大を防ぐことができる。
【００２７】
特定の実施形態では、スリーブは、弁の近位末端（たとえば、アダプターの弁の近位末
端）とカテーテル組立部の内側部材が取り付けられる取っ手の遠位末端との間で伸びるよ
うに構成される。この構成によって使用中、取っ手と内側部材がアダプターに対して長手
方向に移動するのを抑制することができる。その結果、カテーテル組立部を用いて、患者
の体腔の中に埋め込み可能な医療用内部人工器官（たとえば、自己拡張型ステント）を送
達する精度を改善することができる。
【００２８】
一部の実施形態では、スリーブは、弁の近位末端（たとえば、アダプターの弁の近位末
端）と取っ手の遠位末端との間で剥き出しにされるカテーテル組立部の長さに実質的に等
しくなるようにスリーブの長さが調整されるのを可能にする嵌め込み型の構成を有する。
その結果、弁又はアダプターに対してカテーテル組立部の様々な長手方向に位置決定を必
要とする種々の治療にスリーブを使用することができる。
【発明の効果】
【００２９】
特定の実施形態では、スリーブは、患者の体外の位置では、弁とカテーテル組立部の外
側鞘部との間に配置されるように構成される。その結果、患者に挿入されるステント送達
システムの一部の低い外形を維持することができる。
【図面の簡単な説明】
【００３０】
そのほかの態様、特徴及び利点は、発明を実施するための形態、図面及びクレームにあ
る。
【図１】Ｙ−アダプターと嵌め込み型スリーブを含むアダプターシステムを部分分解    斜視図る。
【図２】図１の嵌め込み型スリーブの断面図。
【図３Ａ】図１のアダプターシステムの非密封構成及び密封構成におけるの断面図。
【図３Ｂ】図１のアダプターシステムの非密封構成及び密封構成におけるの断面図。
【図４】図１のアダプターシステムと共に使用することができる、断面で示されるス    テント送達システムのカテーテル組立部の遠位部を有する、ステント送達システムを    説明する。
【図５Ａ】図１のアダプターシステムの使用方法を説明する図。
【図５Ｂ】図１のアダプターシステムの使用方法を説明する図。
【図５Ｃ】図１のアダプターシステムの使用方法を説明する図。
【図５Ｄ】図１のアダプターシステムの使用方法を説明する図。
【図５Ｅ】図１のアダプターシステムの使用方法を説明する図。
【図６】非嵌め込み型のスリーブを含むアダプターシステムを部分的に分解した斜視    図である。
【図７】密封構成における図６のアダプターシステムの断面図である。
【図８】導入鞘具と非嵌め込み型のスリーブを含むシステムを部分的に分解した斜視    図である。
【図９】密封構成における図８のシステムの断面図である。
【発明を実施するための形態】
【００３１】
本発明の特定の実施形態では、システムは、内側部材と内側部材を取り囲む伸縮自在の
外側鞘部を含むカテーテル組立部が弁を介して伸びることができるように構成された弁（
たとえば、弁を含むアダプター）を含む。システムはまた、カテーテル組立部が弁の中に
配置される場合、弁とカテーテル組立部の外側鞘部との間に配置されるように構成された
スリーブ（たとえば、嵌め込み型のスリーブ）も含む。一部の実施形態では、スリーブは
、実質的に非圧縮性の１または複数の材料を含む（たとえば、形成される）。特定の実施
形態では、スリーブは、内側層と外側層を含み、内側層は１または複数の潤滑性の材料を
含む（たとえば、形成される）。
【００３２】
図１を参照して、アダプターシステム１００は、Ｙアダプター１０２と、Ｙアダプター
１０２の筺体１０８を介して伸びる内腔１０６に部分的に挿入することができる嵌め込み
型のスリーブ１０４を含む。トゥヒー・ボースト（Ｔｏｕｈｙ−Ｂｏｒｓｔ）弁１１０は
、筺体１０８の近位末端領域に固定され、ルアーロック式の接続金具１１２は筺体１０８
の遠位末端領域に固定される。管状の分岐部１１４は、筺体１０８から横方向に伸び、筺
体１０８の内腔１０６と流体で連通する分岐内腔１１６を含む。従って、使用中、管状分
岐部１１４の分岐内腔１１６を介して筺体１０８の内腔１０６に流体を導入することがで
きる（たとえば、管状分岐部１１４に注射器を接続し、注射器を用いて流体を分岐内腔１
１６に強制的に入れることによって）。
【００３３】
嵌め込み型のスリーブ１０４は、第１と第２と第３の管１１８、１２０、１２２を含む
折り畳み可能な組立部である。第１の管１１８は、第２の管１２０の内径よりもやや小さ
い（たとえば、第２の管１２０の内径よりも０．０００５インチ〜０．００２インチ小さ
い）外径を有し、第２の管１２０は、第３の管１２２の内径よりもやや小さい（たとえば
、第３の管１２２の内径よりも０．０００５インチ〜０．００２インチ小さい）外径を有
する。従って、第１の管１１８は第２の管１２０の中で摺動することができ、第２の管１
２０は第３の管の中で摺動することができる。
【００３４】
図２を参照して、嵌め込み型のスリーブ１０４の第１及び第２の管１１８、１２０は、
第１及び第２の管１１８、１２０の外面から外に放射状に突き出す近位停止具１２４、１
２６を含む。第２及び第３の管１２０、１２２は、第２及び第３の管１２０、１２２の内
面から内側に放射状に突き出す遠位停止具１２８、１３０を含む。従って、図２に示され
るように嵌め込み型のスリーブが完全に拡張された場合、第１の管１１８の近位停止具１
２４は、第２の管１２０の遠位停止具１２８に当接し、第２の管１２０の近位停止具１２
６は、第３の管１２２の遠位停止具１３０に当接する。この配置は、嵌め込み型のスリー
ブ１０４が拡張された際、第１と第２と第３の管１１８、１２０、１２２が互いにバラバ
ラになるのを防ぐ。特定の実施形態では、第１及び第２の管１１８、１２０の近位停止具
１２４、１２６はそれぞれ、第２及び第３の管１２０、１２２の内径よりも約０．０００
５インチ〜約０．００２インチ小さい外径を有する。一部の実施形態では、第２及び第３
の管１２０、１２２の遠位停止具１２８、１３０はそれぞれ、第１及び第２の管１２０、
１２２の外径よりも約０．０００５インチ〜約０．００２インチ大きい内径を有する。こ
の配置は、嵌め込み型のスリーブ１０４の拡張及び縮小への抵抗を提供することができる
。そのような配置は、たとえば、使用中の嵌め込み型のスリーブ１０４の不注意による拡
張及び縮小を防ぐのに役立つ。
【００３５】
さらに図２を参照して、嵌め込み型のスリーブ１０４の第１の管１１８は、内側層１３
２と外側層１３４を含む。内側層１３２は、１または複数の潤滑性の材料を含むことがで
きる（たとえば、形成することができる）。内側層１３２は、たとえば、外側層１３４よ
りも低い摩擦係数を有する。一部の実施形態では、内側層１３２（たとえば、内側層１３
２が形成される材料）は、約０．２５以下（たとえば、約０．０５〜約０．１）の摩擦係
数を有する。内側層１３２を形成することができる材料の例には、シリコーン、ポリテト
ラフルオロエチレン（ＰＴＦＥ）及び親水性コーティングが挙げられる。外側層１３４は
、種々の硬い材料のいずれかを含むことができる（たとえば、形成することができる）。
外側層１３４の剛性は、以下でさらに詳細に議論されるように、使用中、弁１１０によっ
て第１の管１１８の外面に適用される内側への力の結果、嵌め込み型のスリーブ１０４の
第１の管１１８が放射状に変形されるのを防ぐことができる。一部の実施形態では、外側
層１３４が形成される材料は、少なくとも約６３ＭＰａ（たとえば、少なくとも約１００
ＭＰａ、少なくとも約１０５ＭＰａ、少なくとも約２００ＭＰａ、少なくとも約４００Ｍ
Ｐａ、少なくとも約８００ＭＰａ、約１００ＭＰａ〜約１２００ＭＰａ、約４００ＭＰａ
〜約１２００ＭＰａ）の引っ張り強度を有する。外側層１３４を形成することができる材
料の例には、ステンレス鋼、ポリカーボネート及びアクリロニトリルブタジエンスチレン
（ＡＢＳ）が挙げられる。外側層１３４は、約０．００２インチ以上（たとえば、約０．
００３以上、約０．００２インチ〜約０．００４インチ、約０．００３インチ〜約０．０
０６インチ）の壁厚を有することができる。
【００３６】
一部の実施形態では、第２及び第３の管１２０、１２２は、たとえば、ステンレス鋼、
ポリカーボネート及び／又はアクリロニトリルブタジエンスチレン（ＡＢＳ）のような１
または複数の硬い材料を含む（たとえば、形成する）。或いは、又はさらに、第２及び第
３の管１２０、１２２は、さらに柔軟性のある材料を含むことができる。特定の実施形態
では、たとえば、第２及び第３の管１２０、１２２は、たとえば、網目状のポリイミド、
ポリエーテルエーテルケトン（ＰＥＥＫ）及び／又はナイロン（たとえば、ナイロン１２
）のような１または複数の相対的に柔軟性のあるポリマー材料を含む。
【００３７】
アダプターシステムの使用中、図３Ａに示されるように、嵌め込み型のスリーブ１０４
の第１の管１１８は、Ｙ−アダプター１０２に挿入される。第１の管１１８は、Ｙ−アダ
プター１０２に完全に挿入されると、弁１１０をやや過ぎて伸びる。この位置で、弁１１
０の近位末端１３８の内径より大きい外径を有する第２の管１２０の遠位末端１３６は、
弁１１０の近位末端１３８に当接して、嵌め込み型のスリーブ１０４がＹ−アダプターに
さらに挿入されるのを防ぐ。
【００３８】
嵌め込み型のスリーブ１０４は、共に使用されるＹ−アダプター及びカテーテル組立部
の大きさによって種々の大きさで提供することができる。一部の実施形態では、嵌め込み
型のスリーブ１０４の第１の管１１８は、約０．０４０５インチ〜約０．０９５インチ（
たとえば、約０．０５３５インチ〜約０．０６９インチ）の内径を有する。第１の管１１
８は、約０．０４２５インチ〜約０．１１１インチ（たとえば、約０．０５５５インチ〜
約０．０７５インチ）の外径を有する。一部の実施形態では、嵌め込み型のスリーブ１０
４の最小の内径（たとえば、嵌め込み型のスリーブ１０４の第１の管１１８の内径）は、
アダプターシステム１００が共に使用されるカテーテル組立部の外側鞘部の外径よりも最
大で０．００３インチ大きい（たとえば、約０．０００５インチ〜約０．００３インチ大
きい）。その結果、使用中、カテーテル組立部を嵌め込み型のスリーブ１０４の中に配置
した場合、嵌め込み型のスリーブ１０４の第１の管１１８の内面とカテーテル組立部の外
側鞘部の外面との間に流体の実質的な密封を創ることができる。
【００３９】
さらに図３Ａを参照して、Ｙ−アダプター１０２の弁１１０は、筺体１０８を固定する
ネジ込みの接続金具１４０を含む。接続金具１４０は、接続金具１４０の内面から内側に
伸び、筺体１０８の外面から伸びるネジ山１４４にかみ合うネジ山１４２を含む。接続金
具１４０の環状部１４６は、接続金具１４０の近位末端部１４８から遠位に伸び、接続金
具１４０のネジ込み部から内側に放射状に空間を空ける。圧縮性のＯ−リング１５０は、
環状部１４６の遠位末端１５２と筺体１０８の放射状に内側に突き出た面との間に配置さ
れる。接続金具１４０が時計回り（Ｙ−アダプター１０２の近位末端から見て）に回転さ
れるにつれて、接続金具１４０のネジ山１４２と筺体１０８のネジ山１４４のかみ合いが
筺体１０８に沿って接続金具１４０を遠位に動かす。その結果、Ｏ−リング１５０が、接
続金具１４０の環状部１４６と筺体１０８の放射状に内側に突き出た面１５４との間で圧
縮され、図３Ｂに示されるように、Ｏ−リング１５０は内側に膨らんで嵌め込み型のスリ
ーブ１０４の第１の管１１８の外面に接触する。十分な量、接続金具１４０ａを回転する
と、Ｏ−リング１５０の内面と第１の管１１８の外面との間に流体の密封が創られる。
【００４０】
嵌め込み型のスリーブ１０４の第１の管１１８の外側層１３４の剛性のために、第１の
管１１８の外面に対してＯ−リング１５０が内側に放射状に膨らむとき、第１の管１１８
は内側に圧迫されるのを実質的に妨げられる。その結果、第１の管１１８の内径を変化さ
せることなく、Ｏ−リング１５０と第１の管１１８の間に流体の密封を創ることができる
。この配置は、第１の管１１８に対して外側鞘部を引っ込める際、Ｙ−アダプター１０２
の中に配置されたカテーテル組立部の外側鞘部に作用する摩擦力を低減するのに役立つ。
さらに、この配置は、使用中、弁１１０が締め付けられる程度とは無関係に、カテーテル
組立部の外側鞘部と嵌め込み型のスリーブ１０４の第１の管１１８との間の摩擦の一貫し
たレベルを確保するのに役立つ。
【００４１】
図４は、アダプターシステムと共に使用することができるステント送達システム２００
を説明する。図４に示されるように、ステント送達システム２００は、カテーテル組立部
２０２と取っ手組立部２０４を含む。カテーテル組立部２０２は、管状ラック２１０にそ
の近位末端領域で固定された外側鞘部２０８を有する外側管状組立部２０６を含む。カテ
ーテル組立部２０２はまた、外側管状組立部２０６によって形成される内腔２１４を介し
て伸びる内側管状部材２１２を含む。ガイドワイヤの内腔２１５は内側管状部材２１２を
介して伸びる。自己拡張型ステント２１６は、外側鞘部２０８及び内側管状部材２１２の
遠位末端近傍２１８、２２０にて外側鞘部２０８と内側管状部材２１２の間に配置される
。引き手つかみ部２２２は、管状ラック２１０の近位末端領域に設けられる。カテーテル
組立部２０２の近位部は、取っ手組立部２０４の筺体２２４の中に伸びる。内側管状部材
２１２は筺体２２４の内面に固定される。
【００４２】
取っ手組立部２０４は、回転可能に筺体２２４に固定され、管状ラック２１０とかみ合
わせられる（たとえば、ギアによって）回転可能なツマミ２２６を含む。時計回りの方向
（図５に示す図において）に回転可能なツマミ２２６を回転させることによって及び／又
は引き手つかみ部２２２で近位に引くことによって内側管状部材２１２に関して外側鞘部
２０８を近位に引っ込めることができる。
【００４３】
図５Ａ〜５Ｅは、ステント送達システム２００（図４に示される）の送達及び配置に役
立つようにアダプターシステム１００を使用する方法を説明する。図５Ａを参照して、使
用に先立って、嵌め込み型のスリーブ１０４の第１の管１１８をＹ−アダプター１０２に
挿入し、第１の管１１８の周りで弁１１０を締め付けてバルブ１０のＯ−リング１５０と
第１の管１１８との間に流体の密封を創る。この時点で、嵌め込み型のスリーブ１０４は
、縮小された構成又は折り畳まれた構成である。さらに、Ｙ−アダプター１０２の遠位末
端にてルアーロック式の接続金具１１２にガイドカテーテル２５０を固定する。
【００４４】
図５Ｂを参照して、続いてガイドカテーテル２５０を患者の血管２５２に挿入する。Ｙ
−アダプター１０２が患者の体外に残存する一方で、血管２５２内で使用者によって所望
のようにガイドカテーテル２５０の位置を決定することができる。
【００４５】
図５Ｃを参照して、血管２５２内で所望のようにガイドカテーテル２５０の位置を決定
した後で、嵌め込み型のスリーブ１０４、Ｙ−アダプター１０２及びガイドカテーテル２
５０を介して血管２５２に、ステント送達システム２００のガイドワイヤ２５４及びカテ
ーテル組立部２０２を挿入する。たとえば、ガイドワイヤ２５４を先ず血管２５２に挿入
し、次いでガイドワイヤ２５４が内側管状部材２１２のガイドワイヤ内腔２１５に中に配
置されるようにガイドワイヤ２５４の上で血管２５２にカテーテル組立部２０２を導入す
ることができる。カテーテル組立部２０２が、嵌め込み型のスリーブの第１の管１１８の
中に配置される場合、第１の管１１８の内面と外側鞘部２０８の外面との間に流体の密封
が創られるように、カテーテル組立部２０２の外側鞘部２０８及び嵌め込み型のスリーブ
１０４の第１の管１１８が構成される。一部の実施形態では、たとえば、外側鞘部２０８
は、第１の管１１８の内径より約０．００３インチ以下（たとえば、約０．０００５イン
チ〜約０．００３インチ）小さい外径を有する。特定の実施形態では、外側鞘部２０８は
、約０．０４０インチ〜約０．０９２インチ（たとえば、約０．０５３インチ〜約０．０
６６インチ）の外径を有する。ガイドワイヤ２５４の上でカテーテル組立部２０２を通過
させることによって血管２５２を通って、血管２５２の閉塞領域に向かってカテーテル組
立部２０２の遠位部を舵取りする。血管２５２を通ってカテーテル組立部２０２を舵取り
している間、Ｏ−リング１５０の内面と第１の管１１８の外面との間、及び外側鞘部２０
８の外面と第１の管１１８の内面との間の流体の実質的な密封は、血液がＹ−アダプター
１０２を通って近位に漏出するのを抑制することができる。同時に、第１の管１１８の潤
滑性の内側層１３２は、外側鞘部２０８と第１の管１１８との間の摩擦を低減するのに役
立ち、それは、使用者が嵌め込み型のスリーブ１０４を介してカテーテル組立部２０２を
通過させることができる容易さを高める。
【００４６】
図５Ｄに示されるように、カテーテル組立部２０２のステント運搬部が閉塞領域２５６
の中で位置決定されるまで、血管２５２を通ってカテーテル組立部２０２は舵取りされる
。蛍光透視又は種々のそのほかの画像化技法のいずれかを用いて、使用者が閉塞領域２５
６の中でカテーテル組立部２０２のステント運搬部の位置決めするのに役立てる。閉塞領
域２５６の中でカテーテル組立部２０２のステント運搬部の位置決めをした後、嵌め込み
型のスリーブ１０４の近位末端が取っ手組立部２０４の遠位末端に当接するように使用者
が嵌め込み型のスリーブ１０４を長手方向に伸ばす。嵌め込み型のスリーブ１０４は、取
っ手組立部２０４とＹ−アダプター１０２の間でカテーテル組立部２０２の一部に沿って
伸びているので、カテーテル組立部２０２のその部分は、ステント配置手順の残りの間、
外側に（たとえば、嵌め込み型のスリーブ１０４の長手軸を横切って）曲がる又は弧を描
くのを抑制することができる。このことは、ステント２１６が配置される精度を改善する
のに役立つ。この拡張された位置で嵌め込み型のスリーブ１０４の第１と第２と第３の管
１１８、１２０、１２２の間の摩擦は、ステント配置の間、Ｙ−アダプター１０２に関し
て取っ手組立部２０４が遠位に移動するのを抑制するのに役立つこともでき、それはさら
にステント２１６が配置される精度を改善することができる。
【００４７】
図５Ｅを参照して、閉塞領域２５６の中でカテーテル組立部２０２のステント運搬部の
位置決めを行い、嵌め込み型のスリーブ１０４が長手方向に拡張されてステント送達シス
テム２００のアダプターシステム１００に対する遠位の動きを抑制した後、ステント２１
６を越えて近位に外側鞘部２０８を引っ込めて、ステント２１６が閉塞領域２５６で自己
拡張して血管２５２の壁に接触するのを可能にする。外側鞘部２０８は、たとえば、時計
回りの方向（図５Ｅに示す図において）に回転可能なツマミ２２６を回転させることによ
って及び／又は引き手つかみ部２２２で近位に引くことによって引っ込めることができる
。嵌め込み型のスリーブ１０４の第１の管１１８の潤滑性の内側層１３２のために、外側
鞘部２０８及び第１の管１１８は、外側鞘部２０８の引っ込めの間、相対的に低いレベル
の摩擦を経験する。その結果、使用者は相対的に容易に外側鞘部２０８を引っ込めること
ができる。外側鞘部２０８と第１の管１１８との間に生じる低いレベルの摩擦はまた、ス
テント２１６が血管２５２の中に配置される精度を改善することもできる。さらに、外側
鞘部２０８を引っ込めている間、使用者がステント送達システム２００の取っ手組立部２
０４を不注意に動かすことはありそうにないので、拡張した嵌め込み型のスリーブ１０４
は、ステント２１６が血管２５２の中に配置される精度を改善することができる。さらに
、拡張した嵌め込み型のスリーブ１０４は、取っ手組立部２０４とＹ−アダプター１０２
との間で剥き出しにされるカテーテル組立部２０２の一部が、ステント２１６の配置中に
外側に曲がるのを抑制することができ、それは、ステント２１６が血管２５２の中に配置
される精度を改善することができる。
【００４８】
ステント２１６を配置した後、ステント送達システム２００、ガイドワイヤ２５４及び
ガイドカテーテル２５０は血管２５２から引き出され、血管２５２に埋め込まれたステン
ト２１６を残す。
【００４９】
特定の実施形態を説明したが、そのほかの実施形態も可能である。
一例として、嵌め込み型のスリーブ１０４は、３つの嵌め込み管を含むこととして記載
されているが、嵌め込み型のスリーブ１０４は別に３より多くの（たとえば、４、５、６
など）嵌め込み管を含めることができる。或いは、嵌め込み型のスリーブ１０４は、３つ
より少ない（たとえば、２）嵌め込み管を含めることができる。
【００５０】
別の例として、嵌め込み型のスリーブ１０４は、嵌め込み型のスリーブ１０４の隣接す
る管の間での摩擦力の結果として拡張及び縮小に耐えることとして記載されているが、他
の技法を代替的に又は追加的に使用して嵌め込み型のスリーブ１０４の拡張及び縮小に耐
性を提供することができる。一部の実施形態では、たとえば、嵌め込み型のスリーブ１０
４は、使用中、選択的に嵌め込み型のスリーブ１０４の拡張及び縮小を妨げるのに使用す
ることができる１または複数のロック部材を含む。嵌め込み型のスリーブ１０４は、たと
えば、嵌め込み型のスリーブ１０４の管が互いに軸方向に動くのを抑制するように締め付
けることができる１または複数の蝶ネジを含むことができる。或いは、又はさらに、嵌め
込み型のスリーブ１０４の各管は、嵌め込み型のスリーブ１０４の隣接する管で形成され
た陥没部又は開口部と協同して互いに隣接する管を長手方向に固定するように配置された
、バネを装着したボタンを含むことができる。
【００５１】
或いは、又はさらに、嵌め込み型のスリーブ１０４は、第１と第２と第３の管１１８、
１２０、１２２を取り囲む先細りのスリーブを含む。第１及び第２の管１１８、１２０は
、たとえば、第１及び第２の管１１８、１２０の遠位末端近傍で第１及び第２の管１１８
、１２０の外面の周りに伸びる先細りスリーブを有する。第２及び第３の管１２０、１２
２は、第２及び第３の管１２０、１２２の近位末端近傍で第２及び第３の管１２０、１２
２の内面に固定される先細りスリーブを有する。嵌め込み型のスリーブが完全な程度に拡
張されると、第１及び第２の管１１８、１２０の外側先細りスリーブは、第２及び第３の
管１２０、１２２の内側先細りスリーブとかみ合い、嵌め込み型のスリーブ１０４のさら
なる拡張を提供する。
【００５２】
さらなる例として、嵌め込み型のスリーブ１０４の第１の管１１８の内側層１３２は、
１または複数の潤滑性の材料を含むこととして記載されているが、内側層１３２は、代替
的に又は追加的に、他の種類の材料を含むことができる。一部の実施形態では、内側層１
３２は１または複数の、たとえば、泡状物のような圧縮性の材料を含む。そのような実施
形態では、内側層１３２は、カテーテル組立部２０２が第１の管１１８の中に配置される
とき、放射状に外側に圧迫するように構成することができ、それは、第１の管１１８とカ
テーテル組立部２０２の外側鞘部２０８との間に流体の密封を創るのに役立つ。
【００５３】
別の例として、嵌め込み型のスリーブの第１の管１１８は内側層１３２及び外側層１３
４を含むこととして記載されているが、一部の実施形態では、嵌め込み型のスリーブ１０
４の第１の管１１８は単一の層のみを含む。単一の層は、たとえば、外側層１３２が含む
こととして記載されている材料のいずれかで形成することができる。
【００５４】
追加の例として、上述された方法は、Ｙ−アダプター１０２を通ってカテーテル組立部
２０２を通過させる前にＹ−アダプター１０２に嵌め込み型のスリーブ１０４の第１の管
１１８を挿入することを含むが、特定の実施例では、嵌め込み型のスリーブ１０４の第１
の管１１８は、Ｙ−アダプター１０２を通ってカテーテル組立部２０２を通過させた後、
Ｙ−アダプター１０２に挿入される。
【００５５】
一部の実施形態では、嵌め込み型のスリーブ１０４の近位末端を取っ手組立部２０４の
遠位末端に取り付けることができる（たとえば、粘着性に接合する、熱で接合する、溶接
するなど）。そのような実施形態では、先ず、Ｙ−アダプター１０２を通ってカテーテル
組立部２０２を通過させ、カテーテル組立部２０２が患者の血管で十分な距離を案内され
ている場合、嵌め込み型のスリーブ１０４の第１の管１１８をＹ−アダプター１０２に挿
入し、第１の管１１８の周りで弁１１０を締め付け、流体の実質的な密封を創る。嵌め込
み型のスリーブ１０４は、たとえば、Ｙ−アダプター１０２に第１の管１１８を挿入する
前に拡張することができる。
【００５６】
さらなる例として、アダプターシステム１００は嵌め込み型のスリーブ１０４を含むこ
ととして記載されているが、非嵌め込み型のスリーブを代替的に又は追加的に使用するこ
とができる。図６を参照して、たとえば、アダプターシステム３００は、Ｙ−アダプター
１０２と、Ｙ−アダプター１０２の弁１１０の中に配置されるように構成されるスリーブ
３０４を含む。スリーブ３０４は、使用中、使用者がスリーブ３０４をさらに握り易くす
るその近位末端でギザギザ部分３０６を含む。ギザギザ部分３０６の外径はスリーブ３０
４の残りの部分の外径よりも大きい。
【００５７】
スリーブ３０４がＹ−アダプター１０２に完全に挿入されると、図７に示されるように
、ギザギザ部分３０６は弁１１０の近位末端１３８に当接してＹ−アダプター１０２への
スリーブ３０４のさらなる遠位の移動を妨げる。Ｏ−リング１５０の内面とスリーブ３０
４の外面との間に流体の実質的な密封を提供するために、上述されたのと同様の方法にて
スリーブ３０４の周りで弁１１０を締め付ける。スリーブ３０４は、潤滑性の内側層３０
８と硬い外側層３１０を含む。スリーブ３０４の内側及び外側の層３０８、３１０は、嵌
め込み型のスリーブ１０４の第１の管１１８の内側及び外側の層１３２、１３４に関して
上述された種々の材料のいずれかを含むことができる。内側及び外側の層３０８、３１０
を含むことに対する代替として、スリーブ３０４は、単一層を含むことができる。単一層
は、たとえば、嵌め込み型のスリーブ１０４の内側管１１８に関して上述された１または
複数の硬い材料を含むことができる。上述のアダプターシステム１００と同様の方法にて
アダプターシステム３００を使用することができる。
【００５８】
別の例として、上記の実施形態は、Ｙ−アダプター１０２とガイドカテーテル２５０を
組み合わせてスリーブ１０４、３０４を使用することを記載しているが、スリーブ１０４
、３０４は、代替的に又は追加的に導入鞘具と組み合わせて使用することができる。図１
３を参照して、たとえば、システム４００は、導入鞘具４０２と嵌め込み型のスリーブ１
０４を含む。図１４に示されるように、導入鞘具４０２は、それを通って伸びる内腔４０
４と、導入鞘具４０２の近位末端近傍の内腔４０４の中に配置される封鎖部４０８を含む
。嵌め込み型のスリーブ１０４の第１の管１１８は、導入鞘具４０２の封鎖部４０８の中
に配置される。封鎖部４０８は、嵌め込み型のスリーブ１０４の第１の管１１８と共に、
封鎖部４０８の内面と第１の管１１８の外面との間に流体の密封が創られるように構成さ
れる。封鎖部４０８は、たとえば、第１の管１１８がスリットに挿入された場合、スリッ
トが拡張して封鎖部４０８と第１の管１１８との間に流体の密封を創るように、その中心
軸に沿って封鎖部を通って伸びる交差したスリットを持つ弾力性のある円盤を含むことが
できる。或いは、封鎖部４０８は、第１の管１１８の外径と同等又はそれよりやや小さい
直径（非変形の構成）を持つ内腔を有する弾力性のあるＯ−リングを含むことができる。
【００５９】
システム４００は、アダプターシステム１００とガイドカテーテル２５０の組み合せに
関して上述されたものと同様の方法で使用することができる。たとえば、導入鞘具４０２
を患者の血管に挿入することができ、導入鞘具４０２を介してステント送達システム２０
０のカテーテル組立部２０２（図５に示す）を血管に挿入することができる。封鎖部４０
８と嵌め込み型のスリーブ１０４の第１の管１１８との間、及びカテーテル組立部２０２
の外側鞘部２０６と嵌め込み型のスリーブ１０４の第１の管１１８との間の流体の密封は
、使用中、血液が導入鞘具４０２の近位末端から漏出するのを抑制することができる。血
管の閉塞領域内でカテーテル組立部２０２のステント運搬部の位置を決定することができ
、外側鞘部２０６を引っ込めて血管の閉塞領域内にステント２１６を配置することができ
る。上記で議論したように、嵌め込み型のスリーブ１０４の第１の管１１８の潤滑性の内
側層１３２は、外側鞘部２０６を引っ込めてステント２１６を配置する場合、外側鞘部２
０６と第１の管１１８との間の摩擦力を低減するのに役立ち、それは、ステント２１６を
血管内に配置する精度を改善することができる。さらに、嵌め込み型のスリーブ１０４の
近位末端がステント送達システム２００の取っ手組立部の遠位末端に当接して、カテーテ
ル組立部２０２が外側に曲がるのを抑制し、使用中の取っ手組立部２０４の意図しない遠
位の動きを抑制するように、使用中、嵌め込み型のスリーブ１０４を拡張することができ
る。上記で議論したように、このことは、ステント２１６を血管内に配置する精度をさら
に改善することができる。
【００６０】
システム４００の導入鞘部４０２が、嵌め込み型のスリーブ１０４と共に使用されるこ
ととして記載されているが、導入鞘部４０２は、代替的に又は追加的に、たとえば、スリ
ーブ３０４のような非嵌め込み型のスリーブと共に使用することができる。
【００６１】
別の例として、システム１００、３００、４００は、外側鞘部２０６を引っ込め、ステ
ント２１６を配置するための回転可能なツマミ２２６及び引き手つかみ部２２２を含むス
テント送達システム２００と共に使用されることとして記載されているが、伸縮自在の鞘
部を含むほかの種類のステント送達システムのいずれかを、代替的に又は追加的に、シス
テム１００、３００、４００と共に使用することができる。さらに、システム１００、３
００、４００はステント送達システムと共に使用されることとして記載されているが、伸
縮自在の鞘部を含むほかの種類の医療システムのいずれかを本明細書で記載されるシステ
ムと共に使用することができる。伸縮自在の鞘部を有する種類の医療システムの例には、
バルーン拡張型のステント、ステント移植片、フィルター及びコイルを送達するように構
成されたシステムが挙げられる。さらに、システム１００、３００、４００は、伸縮自在
の鞘部を含まないカテーテルを含む医療システムとともに使用することができる。
【００６２】
別の例として、システム１００、２００、３００、４００は、種々の異なった種類の血
管において使用されることとして記載されているが、それらは、代替的に又は追加的に、
他の種類の体腔において使用することができる。
【００６３】
そのほかの実施形態はクレームにある。
【図１】
0005572729.tif 000002
【図２】
0005572729.tif 000003
【図３Ａ】
0005572729.tif 000004
【図３Ｂ】
0005572729.tif 000005
【図４】
0005572729.tif 000006
【図５Ａ】
0005572729.tif 000007
【図５Ｂ】
0005572729.tif 000008
【図５Ｃ】
0005572729.tif 000009
【図５Ｄ】
0005572729.tif 000010
【図５Ｅ】
0005572729.tif 000011
【図６】
0005572729.tif 000012
【図７】
0005572729.tif 000013
【図８】
0005572729.tif 000014
【図９】
0005572729.tif 000015